(57)【要約】【課題】金属屑が付着することを低減する。【解決手段】ハンディ機器１０は、筐体１２と、筐体１２の内部に設けられ、筐体１２の取付面１２ａを介して金属盤ＭＢを吸着するための磁石１４とを有し、金属盤ＭＢに対して着脱可能な可搬型の機器である。このハンディ機器１０は、金属盤ＭＢから筐体１２が取り外されるときに取付面１２ａから離れる方向に磁石１４が移動するように磁石１４を付勢する付勢部１６を備える。【選択図】図１
2019146107.tif 000002
【特許請求の範囲】
【請求項１】
筐体と、前記筐体の内部に設けられ、前記筐体の取付面を介して金属盤を吸着するための磁石とを有し、前記金属盤に対して着脱可能な可搬型のハンディ機器であって、
前記金属盤から前記筐体が取り外されるときに前記取付面から離れる方向に前記磁石が移動するように前記磁石を付勢する付勢部
を備えるハンディ機器。
【請求項２】
請求項１に記載のハンディ機器であって、
前記付勢部の付勢力は、前記磁石の吸着力よりも小さい、ハンディ機器。
【請求項３】
請求項１または２に記載のハンディ機器であって、
前記筐体の内部に設けられ、前記磁石の移動経路をガイドするガイド部を備える、ハンディ機器。
【請求項４】
請求項３に記載のハンディ機器であって、
前記ガイド部は、前記磁石の移動経路の周囲全体を囲む、ハンディ機器。
【請求項５】
請求項１〜４のいずれか１項に記載のハンディ機器であって、
前記ハンディ機器は、工作機械を操作する操作装置である、ハンディ機器。
【発明の詳細な説明】
【技術分野】
【０００１】
本発明は、金属盤に対して着脱可能な可搬型のハンディ機器に関する。
【背景技術】
【０００２】
可搬型のハンディ機器として、例えば、リモートコントローラなどの操作装置が挙げられ、この操作装置を金属盤に対して着脱可能にするものとして磁石がある。例えば、下記の特許文献１には、遠隔操作するリモコンが磁石を有し、その磁石の磁力によって壁にリモコンが着脱可能に固定された着脱構造が開示されている。
【先行技術文献】
【特許文献】
【０００３】
【特許文献１】特開２０１１−１７１８号公報
【発明の概要】
【発明が解決しようとする課題】
【０００４】
ところで、工作機械が設けられる工場などでは、その工作機械を操作する操作装置を使用しない場合に、その操作装置側に設けられる磁石によって工作機械を載置する金属土台などの金属盤に吸着しておく。
【０００５】
しかし、工作機械の切削加工などにより発生した金属片や金属粉などの金属屑が磁石の磁力により操作装置の筐体に付着する場合があり、その金属屑が付着した状態で金属盤に取り付けると、金属盤に傷などが生じ易い。また、操作装置の筐体に付着した金属屑をその筐体から取り除く作業は煩雑化する傾向にある。
【０００６】
そこで、本発明は、金属屑の付着を低減し得るハンディ機器を提供することを目的とする。
【課題を解決するための手段】
【０００７】
本発明の態様は、筐体と、前記筐体の内部に設けられ、前記筐体の取付面を介して前記金属盤を吸着するための磁石とを有し、前記金属盤に対して着脱可能な可搬型のハンディ機器であって、前記金属盤から前記筐体が取り外されるときに前記取付面から離れる方向に前記磁石が移動するように前記磁石を付勢する付勢部を備える。
【発明の効果】
【０００８】
上記の態様のハンディ機器では、金属盤から筐体が取り外されているときには、筐体の内部に設けられる磁石が付勢部によって筐体の取付面から離されているため、磁石の磁力により筐体に金属屑が引き寄せられることを抑制することができる。したがって、上記の態様のハンディ機器によれば、金属屑の付着を低減することができる。
【図面の簡単な説明】
【０００９】
【図１】実施の形態のハンディ機器を示す概略斜視図である。
【図２】金属盤から取り外された状態のハンディ機器を示す断面図である。
【図３】金属盤に取り付けられた状態のハンディ機器を示す断面図である。
【図４】変形例１の付勢部を含むハンディ機器を図２と同じ視点で示す断面図である。
【図５】変形例１の付勢部を含むハンディ機器を図３と同じ視点で示す断面図である。
【図６】変形例２のハンディ機器を図４と同じ視点で示す断面図である。
【発明を実施するための形態】
【００１０】
本発明に係るハンディ機器について、好適な実施の形態を掲げ、添付の図面を参照しながら以下、詳細に説明する。
【００１１】
図１は、ハンディ機器１０の概略斜視図である。ハンディ機器１０は、金属盤ＭＢ（図３参照）に対して着脱可能な可搬型の機器である。本実施の形態では、ハンディ機器１０は、工具を用いて加工対象物を切削する切削装置、あるいは、加工対象物に対して放電加工を施す放電加工装置などの工作機械を操作する操作装置であり、その工作機械を載置する金属土台などの金属盤ＭＢに着脱可能である。
【００１２】
ハンディ機器１０は、筐体１２、磁石１４、付勢部１６およびガイド部１８を主に備える。筐体１２は、中空の容器であり、取付面１２ａを有する。取付面１２ａは、筐体１２において金属盤ＭＢに取り付ける側の筐体壁の表面である。本実施の形態の筐体１２は、取付面１２ａと反対側に操作面１２ｂを有する。操作面１２ｂには、例えば、工作機械の操作するための複数の操作キーＫが配置される。
【００１３】
磁石１４は、金属盤ＭＢを吸着するためのものであり、筐体１２の内部に設けられる。本実施の形態の磁石１４は、円盤状の永久磁石であり、筐体１２の内部において取付面１２ａから離れる方向と取付面１２ａに近づく方向とに変位可能に設けられる。
【００１４】
付勢部１６は、金属盤ＭＢから筐体１２が取り外されるときに筐体１２の取付面１２ａから離れる方向に磁石１４が移動するように磁石１４を付勢するものである。図２は金属盤ＭＢから取り外された状態のハンディ機器１０を示す断面図であり、図３は金属盤ＭＢに取り付けられた状態のハンディ機器１０を示す断面図である。
【００１５】
本実施の形態の付勢部１６は、筐体１２において金属盤ＭＢに取り付ける側の筐体壁と磁石１４とに接続される圧縮ばねである。付勢部１６の付勢力（圧縮ばねのばね力）は、磁石１４の吸着力よりも小さい関係にある。
【００１６】
すなわち、付勢部１６（圧縮ばね）は、筐体１２が金属盤ＭＢから取り外されている状態（図２参照）では自然長であり、磁石１４が金属盤ＭＢを吸着して筐体１２が金属盤ＭＢに取り付けられている状態（図３参照）では圧縮している。なお、図２および図３では、圧縮ばねは、便宜的に線で示している。
【００１７】
ガイド部１８は、磁石１４の移動経路をガイドするものであり、筐体１２の内部に設けられる。ガイド部１８は、磁石１４の移動経路をガイドすることで、金属盤ＭＢから筐体１２が取り外されるときに移動する磁石１４を所望の位置に導くことができる。
【００１８】
本実施の形態のガイド部１８は、例えば円管状であり、磁石１４の移動経路の周囲全体を囲むように設けられる（図１参照）。ガイド部１８は、磁石１４の移動経路の周囲全体を囲むことで、磁石１４に対して筐体１２の内部に配置される電子部品などの配置物との接触を抑制することができる。なお、ガイド部１８はヨークであってもよい。
【００１９】
次に、付勢部１６の動作を説明する。筐体１２が金属盤ＭＢから取り外されている取外状態（図２参照）では、付勢部１６（圧縮ばね）は自然長の状態であり、磁石１４は筐体１２の取付面１２ａから離間した第１の位置に配置される。
【００２０】
なお、取付面１２ａから第１の位置までの距離は、磁石１４の磁力により筐体１２の取付面１２ａに金属屑が付着せず、金属盤ＭＢに近づけられたときには吸着可能になる程度の距離に設定される。具体的には、磁石１４の形状、材質、面積、厚さおよび吸着力や、付勢部１６の形状、材質および付勢力などの各種のパラメータに基づいて設定される。なお、磁石１４にヨークが設けられてもよい。
【００２１】
上記の取外状態から、筐体１２の取付面１２ａ側が金属盤ＭＢに近づけられると、磁石１４が金属盤ＭＢを吸着しようとするため、付勢部１６（圧縮ばね）を押圧する押圧力が生じる。上記のように、付勢部１６（圧縮ばね）のばね力は磁石１４の吸着力よりも小さいため、磁石１４は、第１の位置よりも取付面１２ａ側の第２の位置に向かって移動し、この移動に応じて付勢部１６（圧縮ばね）が圧縮する。磁石１４が第２の位置にまで移動して取付面１２ａの裏面に接触すると、付勢部１６（圧縮ばね）は圧縮した状態のまま維持する（図３参照）。
【００２２】
ここで、筐体１２が金属盤ＭＢから取り外されて磁石１４の吸着が解除されると、付勢部１６（圧縮ばね）は、圧縮状態（図３参照）から自然長の状態（図２参照）に復帰することで、磁石１４が第２の位置から第１の位置に移動する。
【００２３】
このようにハンディ機器１０では、金属盤ＭＢから筐体１２が取り外されているときには、筐体１２の内部に設けられる磁石１４が付勢部１６によって筐体１２の取付面１２ａから離される。したがって、ハンディ機器１０は、磁石１４の磁力により筐体１２に金属屑が引き寄せられることを抑制することができ、この結果、金属屑の付着を低減することができる。
【００２４】
〔変形例〕
以上、本発明の一例として上記実施の形態が説明されたが、本発明の技術的範囲は上記実施の形態に記載の範囲には限定されない。上記実施の形態に、多様な変更または改良を加えることが可能であることはもちろんである。その様な変更または改良を加えた形態も本発明の技術的範囲に含まれ得ることが、特許請求の範囲の記載から明らかである。
【００２５】
なお、変更または改良を加えた形態の一部は変形例として以下に説明する。ただし、上記実施の形態において説明した構成と同等の構成については同一の符号を付し、重複する説明は省略する。
【００２６】
［変形例１］
図４は変形例１の付勢部２６を含むハンディ機器１０を図２と同じ視点で示す断面図であり、図５は変形例１の付勢部２６を含むハンディ機器１０を図３と同じ視点で示す断面図である。変形例１のハンディ機器１０は、上記実施の形態の付勢部１６に代えて付勢部２６を有している点で、上記実施の形態のハンディ機器１０と異なる。
【００２７】
付勢部２６は、操作面１２ｂ側の筐体壁と磁石１４とに接続される引張ばねであり、付勢部２６の付勢力（引張ばねのばね力）は、磁石１４の吸着力よりも小さい関係にある。なお、図４および図５では、付勢部２６（引張ばね）は、便宜的に線で示している。
【００２８】
筐体１２が金属盤ＭＢから取り外されている取外状態（図４参照）では、付勢部２６（引張ばね）は自然長の状態である。これに対し、磁石１４が金属盤ＭＢを吸着して筐体１２が金属盤ＭＢに取り付けられている取付状態（図５参照）では、付勢部２６（引張ばね）は引っ張られた状態である。
【００２９】
この取付状態から、筐体１２が金属盤ＭＢから取り外されて磁石１４の吸着が解除されると、付勢部２６（引張ばね）は、引っ張られた状態（図５参照）から自然長の状態（図４参照）に復帰することで、磁石１４が第２の位置から第１の位置に移動する。
【００３０】
このように、付勢部２６（引張ばね）が採用された場合であっても、上記実施の形態と同様に、金属盤ＭＢから筐体１２が取り外されているときには、筐体１２の内部に設けられる磁石１４が付勢部２６によって筐体１２の取付面１２ａから離される。したがって、磁石１４の磁力により筐体１２に金属屑が引き寄せられることを抑制することができる。
【００３１】
なお、変形例１では、磁石１４が移動する第１の位置と第２の位置との間に付勢部２６（引張ばね）が介在しない。したがって、磁石１４が移動する第１の位置と第２の位置との間に付勢部１６（圧縮ばね）が介在する上記実施の形態の場合に比べて金属盤ＭＢと磁石１４との間の距離を小さくできるので、金属盤ＭＢに筐体１２を安定して保持し易い。
【００３２】
［変形例２］
図６は、変形例２のハンディ機器１０を図４と同じ視点で示す断面図である。変形例２のハンディ機器１０は、ガイド部１８における操作面１２ｂ側の端部の開口を塞ぐ蓋部１８ａを有している点で、当該蓋部１８ａを有していなかった上記変形例１のハンディ機器１０と異なる。
【００３３】
付勢部２６（引張ばね）は、この蓋部１８ａと、ガイド部１８に囲まれる磁石１４とを接続している。つまり、付勢部２６（引張ばね）における磁石１４とは反対側の接続部位が、変形例２では蓋部１８ａであるのに対し、変形例１では操作面１２ｂ側の筐体壁である点で異なる。変形例２の蓋部１８ａは、操作面１２ｂ側の筐体壁に比べて筐体１２の取付面１２ａに近いため、変形例１の場合に比べて、付勢部２６（引張ばね）のばね変位を小さくすることができる。
【００３４】
［変形例３］
上記実施の形態では、ハンディ機器１０が工作機械を操作する操作装置であったが、工作機械以外の機械や器具などを操作する操作装置であってもよい。また、ハンディ機器１０は、操作キーＫを含まない電子機器であってもよく、電子部品を含まない器具であってもよい。要するに、ハンディ機器１０は、金属盤ＭＢに対して着脱可能な可搬型のものであればよい。
【００３５】
［変形例４］
上記実施の形態および上記変形例１〜３は、矛盾の生じない範囲で任意に組み合わされてもよい。
【００３６】
〔技術的思想〕
上記実施の形態および変形例から把握し得る技術的思想について、以下に記載する。
【００３７】
ハンディ機器（１０）は、筐体（１２）と、筐体（１２）の内部に設けられ、筐体（１２）の取付面（１２ａ）を介して金属盤（ＭＢ）を吸着するための磁石（１４）とを有し、金属盤（ＭＢ）に対して着脱可能な可搬型の機器である。このハンディ機器（１０）は、金属盤（ＭＢ）から筐体（１２）が取り外されるときに取付面（１２ａ）から離れる方向に磁石（１４）が移動するように磁石（１４）を付勢する付勢部（１６、２６）を備える。
【００３８】
このハンディ機器（１０）では、金属盤（ＭＢ）から筐体（１２）が取り外されているときには、筐体（１２）の内部に設けられる磁石（１４）が付勢部（１６、２６）によって筐体（１２）の取付面（１２ａ）から離されている。したがって、ハンディ機器（１０）によれば、磁石（１４）の磁力により筐体（１２）に金属屑が引き寄せられることを抑制することができ、この結果、金属屑の付着を低減することができる。
【００３９】
付勢部（１６、２６）の付勢力は、磁石（１４）の吸着力よりも小さくするようにしてもよい。このようにすれば、磁石（１４）による金属盤（ＭＢ）の吸着だけで、金属盤（ＭＢ）に筐体（１２）が取り付けられた状態を保持することができる。
【００４０】
ハンディ機器（１０）は、筐体（１２）の内部に設けられ、磁石（１４）の移動経路をガイドするガイド部（１８）を備えるようにしてもよい。このようにすれば、金属盤（ＭＢ）から筐体（１２）が取り外されるときに移動する磁石（１４）を所望の位置に安定して導くことができる。
【００４１】
ガイド部（１８）は、磁石（１４）の移動経路の周囲全体を囲むようにしてもよい。このようにすれば、磁石（１４）に対して筐体（１２）の内部に配置される電子部品などの配置物との接触を抑制することができる。
【００４２】
ハンディ機器（１０）は、工作機械を操作する操作装置であってもよい。
【符号の説明】
【００４３】
１０…ハンディ機器                      １２…筐体
１４…磁石                              １６、２６…付勢部
１８…ガイド部
【図１】
2019146107.tif 000003
【図２】
2019146107.tif 000004
【図３】
2019146107.tif 000005
【図４】
2019146107.tif 000006
【図５】
2019146107.tif 000007
【図６】
2019146107.tif 000008